(57)【要約】      （修正有）【課題】構造が堅固で、長寿命なＬＥＤ発光装置の放熱モジュールを提供する。【解決手段】ＬＥＤ発光装置の放熱モジュールは、放熱台１を備え、放熱台１の周囲に複数のフィン嵌槽１１を設置し、各放熱フィン２はフィン嵌槽１１に嵌合され、これにより複数の放熱フィン２は放熱台１周囲で放射状に配列し、各放熱フィン２の両端には湾曲したリベット接続部(リベット接続片)２３、２５を設置し、放熱フィン２の両端には固定フレームを設置し、固定フレームとリベット接続部（リベット接続片）２３、２５はリベット結合し、これにより複数の放熱フィン２の両端には固定構造が形成され、こうしてＬＥＤ発光装置の放熱モジュールは組合せ構造が堅固となる。【選択図】図３
0003180926.tif 000002
【実用新案登録請求の範囲】
【請求項１】
放熱台、複数の放熱フィン、第一固定フレーム、第二固定フレームを備え前記放熱台の周囲には複数のフィン嵌槽を設置し、前記複数の放熱フィンは放射状に配列し、これにより前記各放熱フィンの内側辺は前記放熱台周囲のフィン嵌槽に嵌合され、
前記各放熱フィンの第一端には湾曲した第一リベット接続部を設置し、前記各放熱フィンの反対の第二端には湾曲した第二リベット接続部を設置し、
前記第一固定フレームは前記複数の放熱フィンの第一端に設置し、前記第一固定フレームは複数のリベットを通して、前記各放熱フィンの第一リベット接続部にリベット結合し、前記第二固定フレームは前記複数の放熱フィンの第二端に設置し、前記第二固定フレームは複数のリベットを通して、前記各放熱フィンの第二リベット接続部にリベット結合することを特徴とするＬＥＤ発光装置の放熱モジュール。
【請求項２】
前記第一リベット接続部は湾曲した第一リベット接続片で、前記第一リベット接続片には、前記リベットによりリベット結合するリベット孔を設置し、
前記第二リベット接続部は湾曲した第二リベット接続片で、前記第二リベット接続片には、前記リベットによりリベット結合するリベット孔を設置することを特徴とする請求項１に記載のＬＥＤ発光装置の放熱モジュール。
【請求項３】
前記放熱フィンの第一端の外側辺には第一凹階段部を設置し、前記第一リベット接続片は前記第一凹階段部に形成し、前記第一固定フレームは前記第一凹階段部に嵌めて設置することを特徴とする請求項１に記載のＬＥＤ発光装置の放熱モジュール。
【請求項４】
前記放熱フィンの第二端の外側辺には第二凹階段部を設置し、前記第二リベット接続片は前記第二凹階段部に形成し、前記第二固定フレームは前記第二凹階段部に嵌めて設置することを特徴とする請求項１に記載のＬＥＤ発光装置の放熱モジュール。
【請求項５】
前記複数の放熱フィンは円形に配列し、前記第一固定フレームと前記第二固定フレームとは円環体であることを特徴とする請求項３或いは請求項４に記載のＬＥＤ発光装置の放熱モジュール。
【請求項６】
前記放熱フィンの第一端内側辺には第三凹階段部を設置し、前記各放熱フィンの第三凹階段部は前記各放熱フィンの配列により、収容設置槽を形成することを特徴とする請求項１に記載のＬＥＤ発光装置の放熱モジュール。
【請求項７】
前記収容設置槽内には、金属底板、内リング、光透過片、外リングを設置し、前記金属底板は前記収容設置槽底に密着し、前記内リングは中空のリングでその一端は前記金属底板に接触し、反対端には前記光透過片及び前記外リングを組み合わせ、
前記光透過片は前記内リングの一端に結合し前記収容設置槽に蓋をして覆い、前記外リングは前記内リングの一端に組み合わされ、前記光透過片を押さえて固定することを特徴とする請求項６に記載のＬＥＤ発光装置の放熱モジュール。
【考案の詳細な説明】
【技術分野】
【０００１】
本考案はＬＥＤ発光装置の放熱モジュールに関し、特にＬＥＤ発光モジュールを設置してＬＥＤ発光装置を構成可能な放熱モジュール構造に関する。
【背景技術】
【０００２】
現在のＬＥＤランプは、発光ダイオード(ＬＥＤ)を発光部品としている。
発光ダイオードは消費電力が低い、使用寿命が長い、毒性がない、などの長所を備えるため、ＬＥＤランプは照明設備の主流になろうとしている。
【０００３】
しかしＬＥＤランプは使用において、大量の熱を発するという問題がある。
発光時に発生する熱は排除できなければ、発光ダイオードの発光効率と使用寿命に影響を及ぼす。
発光ダイオードにおいて、有効な温度低下技術が開発されていない現在、採用されている方式はＬＥＤランプに放熱器を設置するものである。
【０００４】
従来の放熱器はベース周囲に放射状に配列する多数の放熱フィンを結合し、放熱フィンの前端に発光ダイオードを設置する。
発光ダイオードが発光すると生じる熱は基板により放熱フィンに伝えられ、熱は放熱フィンにより空気中へと放散される。
【０００５】
従来の放熱フィンはアルミ合金をプレス成型して製造し、それをベース周囲に配列して組立てる。
放熱フィンを相互に結合し、その間隔距離と放射状配列の構造を保持するため、従来の技術では放熱フィンに嵌合片と嵌合孔をプレス設置する。
これにより、ある放熱フィンの嵌合片と嵌合片は、別の放熱フィンの嵌合孔に嵌合して接続する。
放熱フィンの同一端に固定リングを設置し、固定リングにより放熱フィンの同一端を係合するものもある。
【０００６】
しかし、この種の係合或いは嵌合の構造は、堅固な構造とは言えない。
放熱フィンは相互に緩む恐れがあり構造上不安定である。
そのため、雨風に晒され緩み損壊する恐れがあるため、ＬＥＤランプを屋外に応用する際には適用することができない。
本考案は、従来のＬＥＤ発光装置の放熱モジュールの上記した欠点に鑑みてなされたものである。
【考案の概要】
【考案が解決しようとする課題】
【０００７】
本考案が解決しようとする課題は、放熱台、放熱フィン、第一固定フレーム、第二固定フレームを組み合わせた構造設計により、第一固定フレーム、第二固定フレーム、放熱フィンはリベット結合し、構造が緩み易く不安定であるという従来の放熱フィンの欠点を改善でき構造を堅固とし、屋外で雨風に耐えられ使用寿命を延長することができるＬＥＤ発光装置の放熱モジュールを提供することである。
【課題を解決するための手段】
【０００８】
上記課題を解決するため、本考案は下記のＬＥＤ発光装置の放熱モジュールを提供する。
ＬＥＤ発光装置の放熱モジュールは、放熱台、複数の放熱フィン、第一固定フレーム、第二固定フレームを備え、
該放熱台の周囲には、複数のフィン嵌槽を設置し、該複数の放熱フィンは、放射状に配列し、これにより該各放熱フィンの内側辺は、該放熱台周囲のフィン嵌槽に嵌合され、
該各放熱フィンの第一端には、湾曲した第一リベット接続部を設置し、該各放熱フィンの反対の第二端には、湾曲した第二リベット接続部を設置し、
該第一固定フレームは、該複数の放熱フィンの第一端に設置し、該第一固定フレームは、複数のリベットを通して、該各放熱フィンの第一リベット接続部にリベット結合し、
該第二固定フレームは、該複数の放熱フィンの第二端に設置し、該第二固定フレームは、複数のリベットを通して、該各放熱フィンの第二リベット接続部にリベット結合し、
該第一リベット接続部は、湾曲した第一リベット接続片で、該第一リベット接続片には、該リベットによりリベット結合するリベット孔を設置し、
該第二リベット接続部は、湾曲した第二リベット接続片で、該第二リベット接続片には、該リベットによりリベット結合するリベット孔を設置し、
該放熱フィンの第一端の外側辺には、第一凹階段部を設置し、該第一リベット接続片は、該第一凹階段部に形成し、該第一固定フレームは、該第一凹階段部に嵌めて設置し、
該放熱フィンの第二端の外側辺には、第二凹階段部を設置し、該第二リベット接続片は、該第二凹階段部に形成し、該第二固定フレームは、該第二凹階段部に嵌めて設置し、
該複数の放熱フィンは円形に配列し、該第一固定フレームと該第二固定フレームとは円環体で、該放熱フィンの第一端内側辺には第三凹階段部を設置し、該各放熱フィンの第三凹階段部は該各放熱フィンの配列により収容設置槽を形成し、
該収容設置槽内には、金属底板、内リング、光透過片、外リングを設置し、該金属底板は、該収容設置槽底に密着し、該内リングは中空のリングで、その一端は該金属底板に接触し、反対端には該光透過片及び該外リングを組み合わせ、
該光透過片は該内リングの一端に結合し該収容設置槽に蓋をして覆い、該外リングは該内リングの一端に組み合わされ該光透過片を押さえて固定する。
【考案の効果】
【０００９】
本考案のＬＥＤ発光装置の放熱モジュールは、第一固定フレームと各放熱フィン第一端とのリベット結合、及び第二固定フレームと各放熱フィン第二端とのリベット結合を通して、従来の係合構造の欠点を改善し構造を堅固にし、屋外での雨風に耐え使用寿命を延長でき、特に街路灯或いはサーチライトなどの光源として適用することができる。
【図面の簡単な説明】
【００１０】
【図１】本考案放熱モジュール実施例の俯視立体図である。
【図２】本考案放熱モジュール実施例の仰視立体図である。
【図３】本考案放熱モジュール実施例の分解立体図である。
【図４】本考案放熱モジュール実施例の俯視分解立体図である。
【図５】本考案放熱モジュール実施例の仰視分解立体図である。
【図６】本考案放熱モジュール実施例の断面図である。
【考案を実施するための形態】
【００１１】
以下に図面を参照しながら本考案を実施するための最良の形態について詳細に説明する。
【００１２】
図１、２に示すように、本考案ＬＥＤ発光装置の放熱モジュールは、ＬＥＤ発光モジュールを設置して構成するＬＥＤ発光装置に用い、安定的な放熱器の組合せ構造を通してＬＥＤ発光モジュールの熱を放散する。
【００１３】
本考案ＬＥＤ発光装置の放熱モジュールの実施例は、放熱台１、放熱台１周囲に組み合わせる複数の放熱フィン２、放熱フィン２両端に結合して固定する第一固定フレーム３、第二固定フレーム４を備える。
【００１４】
図３に示すように、放熱台１は、円形或いは他の形状の中空筒で、放熱台１の周囲には複数のフィン嵌槽１１を設置する。
フィン嵌槽１１は、直線状に配列する凹槽で、各放熱フィン２を組み合わせて接続する。
複数の放熱フィン２は、放熱台１周囲に配列して接続され放射状を形成する。
これにより、各放熱フィン２の内側辺２１は、放熱台１周囲のフィン嵌槽１１に嵌合される。
各放熱フィン２の第一端２２には、湾曲した第一リベット接続部２３を設置する。
各放熱フィン２の第一端２２と反対の第二端２４には、湾曲した第二リベット接続部２５を設置する。
第一リベット接続部２３と第二リベット接続部２５とを通して、第一固定フレーム３及び第二固定フレーム４と結合する。
【００１５】
図４に示すように第一固定フレーム３は、複数の放熱フィン２の第一端２２に設置する。
しかも、第一固定フレーム３は複数のリベット３１を通して、各放熱フィン２の第一リベット接続部２３にリベット結合する。
これにより、各放熱フィン２の第一端２２に固定力を施し、各放熱フィン２の第一端２２の緩みを防止することができる。
【００１６】
図５に示すように、第二固定フレーム４は複数の放熱フィンの第二端２４に設置する。
しかも、第二固定フレーム４は複数のリベット４１を通して、各放熱フィン２の第二リベット接続部２４にリベット結合する。
これにより、各放熱フィン２の第二端２４に固定力を施し、各放熱フィン２の第二端２４の緩みを防止することができる。
【００１７】
放熱台１、複数の放熱フィン２、第一固定フレーム３、第二固定フレーム４の組合せ構造設計において各放熱フィン２の第一端２２はリベット結合構造であるため、第一固定フレーム３と各放熱フィン２第一端２２の第一リベット接続部２３とは堅固に結合される。
各放熱フィン２の第二端２４もリベット結合構造を通して、同様に第二固定フレーム４と各放熱フィン２第二端２４の第二リベット接続部２５と堅固に結合される。
よって、本考案は堅固なＬＥＤ発光装置の放熱モジュールを構成することができ、ＬＥＤ発光モジュールは放熱フィン２の第一端２２位置に設置される。
こうして、ＬＥＤ発光装置(ＬＥＤランプ)を構成する。
該構造は屋外の街路灯、或いはサーチライトなどの大型照明器具の光源への応用に適しており、雨風に長期間耐えることができ、より優れた使用寿命を獲得することができる。
【００１８】
図３、４に示すように、本考案の各放熱フィン２の第一リベット接続部２３は、湾曲した第一リベット接続片２３１で、しかも第一リベット接続片２３１には、リベット３１によりリベット固定するリベット孔２３２を設置する。
これにより、各第一リベット接続片２３１は同一平面に配列し、第一固定フレーム３とリベット結合される。
【００１９】
図３、５に示すように、各放熱フィン２の第二リベット接続部２５は湾曲した第二リベット接続片２５１で、各第二リベット接続片２５１には、同様にリベット４１によりリベット固定するリベット孔２５２を設置する。
これにより、各第二リベット接続片２５１は、同一平面に配列し第二固定フレーム４とリベット結合される。
【００２０】
組合せ構造を堅固にする効果を増進するため、第一固定フレーム３と第二固定フレーム４は放熱フィン２上に設置する。
図４、６に示すように、本考案の各放熱フィン２の第一端２２の外側辺２６には第一凹階段部２７を設置する。
これにより、第一リベット接続部２３及び第一リベット接続片２３１は第一凹階段部２７に形成される。
これにより、第一固定フレーム３を第一凹階段部２７に嵌めて設置し、上記のリベット結合構造を通して固定する。
【００２１】
同様に、図５、６に示すように、放熱フィン２の第二端２４の外側辺２６にも第二凹階段部２８を設置する。
これにより、第二リベット接続部２５及び第二リベット接続片２５１は第二凹階段部２８に形成される。
これにより、第二固定フレーム４を第二凹階段部２８に嵌めて設置し、上記のリベット結合構造を通して固定する。
【００２２】
こうして構造を安定化させ、組合せを便利にすることができる。
本考案の複数の放熱フィン２は具体的には円形に配列し、第一固定フレーム３及び第二固定フレーム４は相互に対応する円環体を形成する。
【００２３】
図４〜６に示すように、本考案の各放熱フィン２の第一端２２の内側辺２１には、第三凹階段部２９を設置することができる。
第三凹階段部２９底辺は、湾曲したサポート片２９１で、これにより各放熱フィン２の第三凹階段部２９は、配列して収容設置槽Aを形成する。
並びに、収容設置槽A内には、金属底板５、内リング６、光透過片７、外リング８を設置する。
これにより、本考案はより実用的な放熱モジュールを組成することができ、ＬＥＤ発光モジュール(図示なし)を、金属底板５上に設置する。
【００２４】
金属底板５は、収容設置槽A底部のサポート片２９１上に密着する。
内リング６は中空のリングで、その一端は金属底板５の辺縁に接触し、反対端には光透過片７及び外リング８を組み合わせる。
光透過片７は内リング６の一端に結合し、金属底板５に設置するＬＥＤモジュール(図示なし)及び収容設置槽Aに蓋をして覆う。
外リング８は内リング６の一端に組み合わされ、光透過片７を押さえて固定する。
【００２５】
本考案は実用新案の要件である新規性と進歩性に対して、放熱台１、放熱フィン２、第一固定フレーム３、第二固定フレーム４の組合せ構造設計により、第一固定フレーム３、第二固定フレーム４、各放熱フィン２とをリベット結合することで、放熱フィン２の緩みを防止し、組合せ構造を堅固にし、屋外使用でも雨風に耐え、使用寿命を延長することができる。
さらに、本考案は実用新案の要件である産業上の利用性に対して、本考案の構造特徴及び技術手段を利用して、現在産業におけるニーズを充分に満たすことができる。
【００２６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２７】
１      放熱台
１１    フィン嵌槽
２      放熱フィン
２１    内側辺
２２    第一端
２３    第一リベット接続部
２３１  第一リベット接続片
２３２、２５２  リベット孔
２４    第二端
２５    第二リベット接続部
２５１  第二リベット接続片
２６    外側辺
２７    第一凹階段部
２８    第二凹階段部
２９    第三凹階段部
２９１  サポート片
A       収容設置槽
３      第一固定フレーム
３１、４１  リベット
４      第二固定フレーム
５      金属底板
６      内リング
７      光透過片
８      外リング
【図１】
0003180926.tif 000003
【図２】
0003180926.tif 000004
【図３】
0003180926.tif 000005
【図４】
0003180926.tif 000006
【図５】
0003180926.tif 000007
【図６】
0003180926.tif 000008